(57)【要約】  本発明に係る飾り糸製造装置（１）は、第一ドラフト及び仮撚テクスチャード加工ユニット（２Ａ）、第二ドラフト及び仮撚テクスチャード加工ユニット（２Ｂ）、第一スラビングユニット（２５）、並びに第一スラビングユニット（２５）及び第二スラビングユニット（２７）の下流に配置され、第一糸（Ｆ１）、第二糸（Ｆ２）及び芯糸（ＦＥ）を一緒に結合する結合装置（３１）を備えている。【選択図】  図１
2018521236.tif 000002
【特許請求の範囲】
【請求項１】
ドラフト及び仮撚テクスチャード加工によって第一糸（Ｆ１）を供給して処理するステップ、
ドラフト及び仮撚テクスチャード加工によって第二糸（Ｆ２）を供給して処理するステップ、
ドラフト及びテクスチャード加工された第一糸（Ｆ１）を第一スラビングユニット（２５）に供給し、蓄積領域、即ち、スラブ領域を第一糸（Ｆ１）に形成するステップ、
ドラフト及びテクスチャード加工された第二糸（Ｆ２）を第二スラビングユニット（２７）に供給し、蓄積領域、即ち、スラブ領域を第二糸（Ｆ２）に形成するステップ、及び
第一糸（Ｆ１）、第二糸（Ｆ２）及び芯糸（ＦＥ）を一緒に結合するステップ
を備えている
ことを特徴とする飾り糸（ＦＦ）を製造する方法。
【請求項２】
芯糸（ＦＥ）が、エラストマ糸である
ことを特徴とする請求項１に記載の方法。
【請求項３】
第一糸（Ｆ１）、第二糸（Ｆ２）及び芯糸（ＦＥ）が、一つのエアインターレーシングジェット内で結合される
ことを特徴とする請求項１又は２に記載の方法。
【請求項４】
第一糸（Ｆ１）がマルチフィラメント糸である
ことを特徴とする請求項１〜３の何れか一項に記載の方法。
【請求項５】
第二糸（Ｆ２）がマルチフィラメント糸である
ことを特徴とする請求項１〜４の何れか一項に記載の方法。
【請求項６】
第一糸（Ｆ１）及び第二糸（Ｆ２）が１５〜５５０Ｄｔｅｘの間の番手である
ことを特徴とする請求項１〜５の何れか一項に記載の方法。
【請求項７】
第一糸（Ｆ１）及び第二糸（Ｆ２）が相互に等しい
ことを特徴とする請求項１〜６の何れか一項に記載の方法。
【請求項８】
第一糸（Ｆ１）及び第二糸（Ｆ２）が相互に異なっている
ことを特徴とする請求項１〜６の何れか一項に記載の方法。
【請求項９】
第一糸（Ｆ１）及び第二糸（Ｆ２）が、糸材料、糸番手、糸のフィラメント数、糸ドラフト度合い、糸テクスチャード加工度合い及び糸の撚りから成る特徴の一つ又は複数の特徴において異なっている
ことを特徴とする請求項８に記載の方法。
【請求項１０】
第一糸（Ｆ１）及び第二糸（Ｆ２）を、各々異なるスラビング処理によって処理し、異なるスラブ、好ましくは、頻度及び／又は蓄積度合いにおいて異なるスラブを生成する
ことを特徴とする請求項１〜９の何れか一項に記載の方法。
【請求項１１】
第一ドラフト及び仮撚テクスチャード加工ユニット（２Ａ）、
第二ドラフト及び仮撚テクスチャード加工ユニット（２Ｂ）、
第一スラビングユニット（２５）、
第二スラビングユニット（２７）、
第一ドラフト及び仮撚テクスチャード加工ユニット（２Ａ）を通過し、かつ、第一スラビングユニット（２５）を通過する第一糸（Ｆ１）の軌道、
第二ドラフト及び仮撚テクスチャード加工ユニット（２Ｂ）を通過し、かつ、第二スラビングユニット（２７）を通過する第二糸（Ｆ２）の軌道、
芯糸（ＦＥ）を供給する軌道、及び
第一スラビングユニット（２５）及び第二スラビングユニット（２７）の下流に配置され、第一糸（Ｆ１）、第二糸（Ｆ２）及び芯糸（ＦＥ）を一緒に結合する結合装置（３１）
を組み合せて成る
ことを特徴とする飾り糸（ＦＦ）の製造装置。
【請求項１２】
結合装置（３１）がエアインターレーシングジェットを備えている
ことを特徴とする請求項１１に記載の装置。
【請求項１３】
第一スラビングユニット（２５）及び第二スラビングユニット（２７）の少なくとも一方、好ましくは前記スラビングユニット（２５，２７）の両方が、好ましくは二つのスラビングユニットを独立して調節し得る少なくとも一つの動作パラメータを有する
ことを特徴とする請求項１１又は１２に記載の装置。
【請求項１４】
前記少なくとも一つの動作パラメータが、スラビング頻度及び糸スラブ量の中から選択される
ことを特徴とする請求項１３に記載の装置。
【請求項１５】
一緒に結合された芯糸（ＦＥ）、ドラフト加工、テクスチャード加工及びスラブ加工された第一糸（Ｆ１）、並びにドラフト加工、テクスチャード加工及びスラブ加工された第二糸（Ｆ２）の組合せから成ることを特徴とする飾り糸（ＦＦ）。
【請求項１６】
芯糸（ＦＥ）がエラストマ糸である
ことを特徴とする請求項１５に記載の飾り糸。
【請求項１７】
ドラフト加工、テクスチャード加工及びスラブ加工された第一糸（Ｆ１）がマルチフィラメント糸である
ことを特徴とする請求項１５又は１６に記載の飾り糸。
【請求項１８】
ドラフト加工、テクスチャード加工及びスラブ加工された第二糸（Ｆ２）がマルチフィラメント糸である
ことを特徴とする請求項１５〜１７の何れか一項に記載の飾り糸。
【請求項１９】
第一糸（Ｆ１）及び第二糸（Ｆ２）が、糸材料、糸番手、糸のフィラメント数、糸テクスチャード加工度合い、ドラフト度合い、撚り度合い、糸スラブ頻度及び糸スラブ量から成るパラメータの一つ又は複数において相互に異なる
ことを特徴とする請求項１〜１８の何れか一項に記載の飾り糸。
【発明の詳細な説明】
【技術分野】
【０００１】
本発明は、糸製造の技術分野に関する。より詳細には、この明細書に開示する幾つかの実施形態は、スラブ糸の製造方法及び装置の改良に関する。
【背景技術】
【０００２】
繊維業界では、特定の技術的及び美的効果を達成するために、新しい糸が絶えず開発されている。繊維技術では、所謂、「スラブ」飾り糸を製造することが周知であり、該飾り糸では、適切なスラビング装置またはユニットを用いて、蓄積領域(accumulation areas)、即ち、その厚さが不規則な領域が設けられる。スラビング装置は、例えば欧州特許第EP0299131号、米国特許第US6820405号、及び米国特許第US4368612号に開示されている。
通常、予めテクスチャード加工されたスラブ糸は、複合飾り糸を得るためにエラストマ糸と結合される。
これらの糸で製造された編み物又は織物に、革新的な特徴を与えるのに適した、より高品質なスラブ飾り糸を開発する必要性が依然として存在する。
【先行技術文献】
【特許文献】
【０００３】
【特許文献１】欧州特許第EP0299131号公報
【特許文献２】米国特許第US6820405号公報
【特許文献３】米国特許第US4368612号公報
【発明の概要】
【０００４】
第一の特徴によれば、本発明は、飾り糸の製造方法に関する。明細書で説明する幾つかの実施形態において、この方法は、ドラフト及び仮撚りテクスチャード加工処理によって第一糸を供給及び処理するステップを含む。この方法は、さらに、ドラフト及び仮撚りテクスチャード加工処理によって第二糸を供給及び処理するステップを含む。ドラフト及びテクスチャード加工された第一糸は、その後、第一糸上に蓄積領域、即ち、スラブ領域を形成するために第一スラビングユニットに供給される。同様に、ドラフト及びテクスチャード加工された第二糸は、第二糸上に蓄積領域、即ち、スラブ領域を形成するように第二スラビングユニットに供給される。次いで、第一糸、第二糸及び芯糸が、飾り糸を形成するように一緒に結合される。有利な実施形態では、三つの構成要素（第一スラブ糸、第二スラブ糸及び芯糸）の結合は、単一の結合装置で実行される。結合装置は、エアインターレーシングジェットであり得、又は、エアインターレーシングジェットを含み得る。
【０００５】
別の特徴によれば、本発明は、スラブ糸製造装置に関し、該装置は、ドラフト及び仮撚りテクスチャード加工によって第一糸を処理するための第一ドラフト及び仮撚りテクスチャード加工ユニットと、ドラフト及び仮撚りテクスチャード加工によって第二糸を処理するための第二ドラフト及び仮撚りテクスチャード加工ユニットとの組み合わせを有する。この装置は、ドラフト及び仮撚りテクスチャード加工ユニットの下流に、ドラフト及びテクスチャード加工された第一糸用の第一スラビングユニットと、ドラフト及びテクスチャード加工された第二糸用の第二スラビングユニットとを有する。第一糸及び第二糸を結合するための結合装置が、第一スラビングユニット及び第二スラビングユニットの下流に設けられ、芯糸も、この結合装置に供給される。
【０００６】
さらに別の特徴によれば、本発明は、芯糸、第一ドラフト及びテクスチャード加工スラブ糸及び第二ドラフト及びテクスチャード加工スラブ糸を一緒に結合して成る飾り糸に関する。
【図面の簡単な説明】
【０００７】
【図１】本明細書に記載の方法の一実施形態の作用図である。
【図２Ａ】一実施形態による複数の装置を含む機械の断面を示す。
【図２Ｂ】図2Aの一部の拡大図である。
【図３】スラビングユニットの一実施形態の概略図である。
【図４】４Ａ〜４Ｄは、図3のスラビングユニットの動作シーケンスを示す図である。
【図５】スラビングユニットの別の実施形態の概略図である。
【図６】従来技術の方法によって製造されたスラブ糸の写真を示す図である。
【図７】本明細書に記載の方法に従って製造されたスラブ糸の写真を示す図である。
【発明を実施するための形態】
【０００８】
本発明及び本発明から生じる多くの利点が、添付図面を参照して説明される以下の幾つかの実施形態の説明から、より良く理解されることになる。
【０００９】
以下に、添付図面を参照しながら、例示的な実施形態を詳細に説明する。異なる図面における同一参照番号は、同一又は類似の構成要素を示す。また、図面は必ずしも縮尺通りではない。さらに、以下の詳細な説明は本発明を限定するものではない。本発明の保護範囲は、添付の特許請求の範囲によって定義される。
【００１０】
本明細書において、「一実施形態」、「その実施形態」又は「幾つかの実施形態」への言及は、ある実施形態を参照して説明された特定の特徴、構造又は要素が、説明された対象物の少なくとも一つの実施形態に含まれることを意味する。従って、明細書中の「ある実施形態において」、「その実施形態において」又は「幾つかの実施形態において」という文章は、必ずしも同じ実施形態を参照するものではない。さらにまた、特定の特徴、構造又は構成要素は、一つ又は複数の実施形態において任意の適切な方法で組み合わせられ得る。
【００１１】
図1は、本発明に係る方法の幾つかの実施形態の作用図を示している。複合飾り糸FFの製造のために、二本の初期糸F1及びF2が使用される。糸F1及びF2は、リールB1及びB2において供給され得、リールB1及びB2は、図１に全体として符号１で示される装置の処理ユニットに、ヤーンF1及びF2を供給するために徐々に巻解かれる。
【００１２】
幾つかの実施形態では、各糸F1及びF2は、機械の領域3において予備ドラフト加工及び仮撚りテクスチャード加工に供される。第一ドラフト及び仮撚テクスチャード加工ユニットは、符号２Ａで示され、領域3において第一糸F1のために設けられている。第二ドラフト及び仮撚テクスチャード加工ユニットは、符号２Ｂで示され、領域3において第二糸F2のために設けられている。
【００１３】
いくつかの実施形態では、ドラフト加工及び仮撚り加工を行うために、第1糸F1は、第1供給ユニット5、オーブン又はヒーター7、冷却領域9及び仮撚ユニット11、そして最後に第2供給ユニット13を通して供給される。
【００１４】
同様に、第2糸F2は、第２供給ユニット15、第2オーブン又はヒーター17、第2冷却領域19及び第2仮撚りユニット21を通して供給され、そして最後に第2供給ユニット23
に導入される。
【００１５】
図1では、二つのオーブン7及び17は、全体として番号8で示される単一の加熱ユニットに組み込まれている。
【００１６】
公知の方法では、供給ユニット5と供給ユニット13との間で、糸F1はドラフト加工され得る。各供給ユニット5及び13は、糸F1が通過するためのニップを画定するように、互いに隣接し、かつ、互いに押し付けられた一対のローラを有し得る。各供給ユニット5及び13のローラのうちの少なくとも一つはモータ駆動され、他方はアイドルであり得る。供給ユニット5及び13のローラの周速は、ドラフト及び仮撚テクスチャード加工領域３において、糸F1を所望の度合いでドラフト加工するように選択される。例えば、供給ユニット13は、供給ユニット5の周速よりも1.1~2.0パーセントだけ大きいローラの周速で作動され得る。
【００１７】
同様に、糸F2は、ドラフト及び仮撚テクスチャード加工領域３において、供給ユニット15と供給ユニット23との間で、ドラフト加工され得る。供給ユニット15及び23は、ユニット5及び13と同様の方法で構成され得る。幾つかの実施形態では、供給ユニット5及び15の駆動ローラは、単一のモータによって制御される共通のシャフトに設置され得る。他の実施形態では、供給ユニット5及び15は、糸F1及びF2を異なる度合いでドラフト加工するために、異なるモータで駆動され得る。同様に、供給ユニット13及び23は、同じシャフトに取り付けられ、単一のモータによって制御される駆動ローラ、又は二つ糸F1及びF2のドラフト加工の度合いを互いに独立して調整するように異なるモータによって駆動されるローラを有し得る。
【００１８】
装置１は、ドラフト及び仮撚テクスチャード加工領域3の下流に、第一糸F1の軌道に沿って配置された第1スラビングユニット25と、第二糸F2の軌道に沿って配置された第2スラビングユニット27とを有する。
【００１９】
二つのスラビングユニット25及び27は、公知の方法、例えば、本明細書の導入部分で述べた特許文献に記載されている方法で設計され得る。スラビングユニット25又は27のさらに別の実施形態は、図3を参照して以下に説明される。
【００２０】
適当な位置、例えば、スラビングユニット25及び27の領域又はその下流に、複合飾り糸FFの芯糸を形成するエラストマ糸FEのリールBEを巻解くための巻解きステーション29が設けられ得る。エラストマ糸FEは、例えばLycra（登録商標）又は任意の他の適当な材料で作られ得る。
【００２１】
糸F1及びF2並びにエラストマ糸FEの供給軌道は、糸F1及びF2並びにエラストマ糸FEを結合するための結合装置内で合流する。幾つかの実施形態では、結合装置31は、エアインターレーシングジェット31を備えるか、又は、それによって構成される。エアインターレーシングジェット31において、糸F1及びF2並びにエラストマ糸FEは、該エアインターレーシングジェット31の出口で複合飾り糸FFを得るために、加圧空気ジェットによって結合される。複合飾り糸FFは、符号３３で示す回収及び巻取ステーションにおいて、リールBFに巻き取られる。回収及び巻取ステーション３３には、供給ユニット３５を用いて飾り糸FFが供給される。供給ユニット３５は、ユニット5及び13並びに15及び23と同様に、 互いに隣接して押し付けられ、少なくとも一方がモータ駆動され、他方はアイドルであり得る一対のローラを有し得る。飾り糸FFがリールBFに回収される前に、飾り糸FFをさらにドラフト加工し、即ち、緩めるために、供給ユニット35のローラの周速は適当に制御され得る。幾つかの実施形態では、供給ユニット35は、ゴデットローラと称される加熱ローラに置き換えられ得る。この場合、供給ユニットは、供給機能だけでなく、飾り糸FFを熱硬化させる機能も有する。幾つかの実施形態では、飾り糸FFの回収リールBFに向かう軌道に沿ってオイル供給ユニット３７が設けられ得る。
【００２２】
従って、複合飾り糸FFは、エラストマ糸FEにより構成された芯糸を備え、その芯糸には、二本のスラブ糸F1及びF2が、エアインターレーシングジェット３１を用いて結合されている。
【００２３】
飾り糸F1及びF2は、有利には、そして、好ましくは、例えば10〜288本で構成される多数のフィラメントを備えたマルチフィラメント糸である。
【００２４】
幾つかの実施形態では、糸F1及びF2は、15〜550デシテックス(Dtex)の糸番手を有する。
【００２５】
二本の糸F1及びF2は、糸番手及び組成に関して互いに等しくてもよく、また、糸番手及び／又は組成において相互に異なってもよい。
【００２６】
幾つかの実施形態では、糸F1及びF2は、互いに独立して、POY（予め方向付けられた糸又は部分的に方向付けられた糸）又はFDY（完全に延伸された糸）であり得る。二本の糸F1及びF2は、互いに独立して、ポリアミド（ナイロン）、ポリプロピレン、ポリエステル、ポリエチレンテレフタレート又は任意の他の材料、典型的には、家具、自動車又はその他の繊維応用物用の織物産業向けの糸の製造に有用なポリマー材料で形成され得る。
【００２７】
図2A及び図2Bは、図1に示した装置の一実施形態を示している。同一の符号は、図1を参照して説明したものと同一又は対応する部分を示す。より詳細には、 図2A及び図2Bは、図面の平面に直交するように相互に整列した複数の装置1を含む複合機械の長手方向に直交する垂直平面による断面を示している。
【００２８】
糸F1と糸f2の軌道は、図2A及び図２Ｂにおいて部分的に重なっており、 特に、ドラフト及び仮撚テクスチャード加工領域３に関して重なっている。図2A及び図2Bでは、加熱ユニット8に結合されたオーブン7及び17、冷却領域9及び19、並びに仮撚ユニット11及び21が互いに重なり合って示されている。これらの下流においては、糸F1及びF2の二つの軌道が、供給ユニット13及び23、スラビングユニット25及び27、糸F1、F2及びエラストマ糸FEに対して共通のエアインターレーシングジェット３１並びに単一の供給ユニット３５と共に、別々に見える。この供給ユニット３５の下方には、二つの回収ユニット33が示されており、これらのユニットは互いに重ねられており、図の平面に直交する機械の整列方向に従って配置された二つの隣接する装置1に対応している。
【００２９】
上述のように、二つのスラビングユニット25及び27は、例えば、従来技術で述べた特許文献に記載されているような公知の方法で設計することができる。図3は、別の実施形態によるスラビングユニットを示す。この実施形態では、スラビングユニット25及び27は、各装置1に対して、即ち、図2のマルチポジショニング機械の各位置に対して、各糸F1又はF2を通過させるための一対のガイド部材41,43を備えている。好ましくは、二つのガイド部材41及び43は、装置1の構造体に対して固定される。それらの間に糸ガイド45が配置され、該糸ガイド４５は、両矢印f45に従って往復運動するように移動可能である。この目的のために、糸ガイド45は、モータ49によって往復運動するように駆動され得る歯付きベルト47に接続され得る。
【００３０】
糸ガイド45は、図3に示す初期位置から、スライド51が支持構造に対して静止して配置されている最終位置まで、図示実施形態では直線的な軌道に沿って移動する。糸ガイド45は、図3に示す位置において、ガイド部材41及び43に沿ってガイドされた糸F1又はF2と係合し、係合された糸を、その並進運動でスライド51の位置に向かって移動させる。このスライド51と相互作用により、糸は、糸ガイド45から外され、次いで、二つのガイド部材41及び43の間の直線的な配置に戻る。糸ガイド45は図3の初期位置に戻り、そこで糸を再び拾い上げ、そして、その軌道を上述のようにスライド51まで逸脱させる。
【００３１】
この動作は、図４Ａ〜図４Ｄのシーケンスに概略的に示されている。
【００３２】
ガイド部材41及び43間の糸軌道の周期的な伸長と、その後の糸の解放とにより糸の蓄積が形成され、それによりスラブ効果が生じる。
【００３３】
図5は、スラビングユニット25及び27の別の実施形態を示している。この実施形態では、スラビングユニット25及び27は、各装置1に対して、即ち、図2のマルチポジショニング機械の各位置に対して、各糸F1又はF2を通過させるためのガイド部材41及び43を備えている。二つのガイド部材41及び43は、好ましくは、装置1の構造体に対して固定されている。これら二つのガイド部材41及び43の間に糸ガイド45が配置され、この糸ガイド45は、両矢印f5に従って往復運動するように移動可能である。この目的のために、糸ガイド45は、図3を参照して説明したのと同様に、電気モータによって往復運動で駆動され得る歯付きベルトに接続され得る。糸ガイド45は、垂直面に対して対称であり、糸ガイド45のストロークの端部に配置された二つのスライド51A及び51Bと協働する。
【００３４】
この実施形態において、スラビングユニットの動作は、図3のスラビングユニットの動作と実質的に同じである。しかし、この実施形態では、糸ガイド45は、二つの対向するスライド51A及び51Bと共働するために、矢印f45に従って二つの方向に、より大きなストロークを行う。
【００３５】
図5において単なる実施形態として示したように、二重スラビングユニットを使用することによって、スラビングユニットを通過するテクスチャード加工されたヤーンは、よりテンションがかけられ、従って、より剛性が高くなり、これにより最終的な結果をより良くし得る。
【００３６】
二つの同一又は異なるスラビングユニット25及び27を装置1に使用することができる。例えば、一方のスラビングユニットを図3に示すように製造し、他方のスラビングユニットを図5に示すように製造することができる。
【００３７】
さらにまた、スラビングユニット25及び27は、相互に、同じ方法で、又は異なる方法で制御され得る。具体的には、二つのスラビングユニットを、糸ガイド45又は他の可動スラビング要素の動作を同じ速度にして又は異なる速度にして動作させることができる。ガイド部材41及び43の位置に対するスライド51、51A及び51Bの位置を調整することにより、糸ガイド45のストローク、ひいては糸の蓄積量を変更することも可能である。
【００３８】
従って、二本の糸F1及びF2に対して独立して、（スラビングユニットの作動速度に依存する）糸に分配される蓄積の割合、（糸のストロークに依存する）各蓄積量又はこれらのパラメータの両方を調整することが可能である。
【００３９】
二つのスラビングユニット25及び27の動作パラメータを変化させることにより、幅広い様々な飾り糸FFを得ることが可能である。
【００４０】
同様の調節は、例えば上述した先行技術文献に記載されているように設計された異なるスラビングユニットでも行うことができる。
【００４１】
糸F1及びF2を変更することによって、飾り糸に関する別の最終結果を得ることもできる。糸は互いに同一でもよく、また、例えば、糸番手、フィラメント数及び／又は材料に関する限り、互いに異なっていてもよい。さらに、糸F1及びF2は、ドラフト及び仮撚テクスチャード加工処理中に付与される物理的特徴において異なり得る。例えば、二本の糸F1及びF2は、異なるドラフト率及び／又は異なるテクスチャード加工温度及び／又は異なる撚りに供され得る。
【００４２】
染色中に異なる挙動を有する異なる糸を用いることにより、特定の色効果を得ることが可能である。
【００４３】
概して、本明細書に記載された装置及び方法により、最終的な飾り糸に対する幅広いスラブ効果、従って、高い生産柔軟性が得られ得る。
【００４４】
同じインターレーシングジェットにおいて、別々のスラビングユニット25及び27でテクスチャード加工及びスラブ加工された二本の糸F1及びF2とエラストマ糸FEとを接合することにより、驚くことに最終的な飾り糸FFに特別な効果を得ることが可能になる。図6は、エラストマ糸に単一のテクスチャード加工スラブ糸を結合する先行技術の方法によって得られたスラブ糸の写真を示す。このようにして得られた飾り糸は、不連続な糸蓄積部位を有し、それらは、蓄積されていない領域によって互いに離間されている。その結果、糸の容量が限られ、品質が悪くなる。
【００４５】
図7は、上記の方法で得られた飾り糸FFの写真を示す。同じインターレースジェットで二本のテクスチャード加工スラブ糸を接合することによって、より大きな容量で、より良好な品質の飾り糸が得られ、例えば、二つのスラビングユニット２５及び２７の動作速度を変更することによって、糸蓄積部位の分布を変化させることが可能である。
【００４６】
スラビングユニット25及び27で別々に処理された二本の糸F1及びF2は、インターレーシングジェットにおいて相互作用し、完成した糸FFに相乗的なスラブ効果を生じさせる。
【００４７】
上述の本発明の特定の実施形態は、図面に示され、異なる例示的な実施形態に関連する特性及び特徴と共に、上記の説明において一体的に説明されているが、当業者であれば、上述した革新的な知識、原理及び概念、並びに添付した特許請求の範囲に記載された発明の利点から逸脱することなく、改良、変更及び省略が可能であることは理解される。したがって、説明した改良の範囲は、全ての改良、変更及び省略を含むように、添付の特許請求の範囲の最も広い解釈に基づいてのみ決定されるべきである。さらにまた、方法又は処理のステップの順序又はシーケンスは、別の実施形態に従って変更され得る。
【図１】
2018521236.tif 000003
【図２（Ａ）】
2018521236.tif 000004
【図２（Ｂ）】
2018521236.tif 000005
【図３】
2018521236.tif 000006
【図４Ａ】
2018521236.tif 000007
【図４Ｂ】
2018521236.tif 000008
【図４Ｃ】
2018521236.tif 000009
【図４Ｄ】
2018521236.tif 000010
【図５】
2018521236.tif 000011
【図６】
2018521236.tif 000012
【図７】
2018521236.tif 000013
【国際調査報告】
2018521236.tif 000014
2018521236.tif 000015
2018521236.tif 000016